(57)【要約】【課題】ユーザに対して広告情報をより適切に提示することが可能な広告配信システム及びその情報表示方法を提供する。【解決手段】広告配信システム１は、広告情報を配信する広告配信サーバ６０とテレビジョン受像機１０とがインターネット５０で接続されたものであって、リモコン２０と、コントローラ３０とを備えている。リモコン２０は、テレビジョン受像機１０に所定の制御を行わせるための操作内容を入力可能なものである。コントローラ３０は、リモコン２０が操作されたことを検出し、入力された操作内容がテレビジョン受像機１０のチャンネルを変更するものであり、且つ、チャンネルを所定時間内に所定回数以上切り替えた場合、広告情報の配信を要求させると判断する。【選択図】図１
2011193053.tif 000002
【特許請求の範囲】
【請求項１】
広告情報を配信する広告配信サーバとテレビジョン受像機とがネットワークで接続された広告配信システムであって、
テレビジョン受像機に所定の制御を行わせるための操作内容を入力可能な操作装置と、
前記操作装置に対して操作内容が入力されたことを検出する検出手段と、
前記検出手段により操作内容が入力されたことが検出された場合、入力された操作内容が前記テレビジョン受像機のチャンネルを変更するものであり、且つ、チャンネルを所定時間内に所定回数以上切り替えた場合、広告情報の配信を要求させると判断する配信判断手段と、
前記配信判断手段により広告情報の配信を要求させると判断された場合、前記広告配信サーバに対して広告情報の配信を要求すると共に、要求に応じて配信された広告情報を受信する通信手段と、
前記通信手段により受信された広告情報を前記テレビジョン受像機から提示させる提示制御手段と、
を備えることを特徴とする広告配信システム。
【請求項２】
現在の時刻を把握する時計手段をさらに備え、
前記配信判断手段は、前記検出手段により操作内容が入力されたことが検出された場合、入力された操作内容が前記テレビジョン受像機の電源をオンするものであり、且つ、前記時計手段により当該電源オン時の時刻が所定の時間帯であった場合、前記通信手段により広告情報の配信を要求させると判断する
ことを特徴とする請求項１に記載の広告配信システム。
【請求項３】
広告情報を配信する広告配信サーバとテレビジョン受像機とがネットワークで接続された広告配信システムの広告配信方法であって、
テレビジョン受像機に所定の制御を行わせるための操作内容を入力可能な操作装置に対して操作内容が入力されたことを検出する検出工程と、
前記検出工程において操作内容が入力されたことが検出された場合、入力された操作内容が前記テレビジョン受像機のチャンネルを変更するものであり、且つ、チャンネルを所定時間内に所定回数以上切り替えた場合、広告情報の配信を要求させると判断する配信判断工程と、
前記配信判断工程において広告情報の配信を要求させると判断された場合、前記広告配信サーバに対して広告情報の配信を要求する第１通信工程と、
前記第１通信工程における要求に応じて配信された広告情報を受信する第２通信工程と、
前記第２通信工程において受信された広告情報を前記テレビジョン受像機から提示させる表示制御工程と、
を有することを特徴とする広告配信方法。
【発明の詳細な説明】
【技術分野】
【０００１】
本発明は、広告配信システム及び広告配信方法に関する。
【背景技術】
【０００２】
従来、広告配信サーバから受信した広告情報をテレビジョン受像機にて提示する広告配信システムが提案されている。この広告配信システムでは、ユーザがテレビジョン受像機のチャンネルを切り替えた場合に、広告を配信することとしている。
【先行技術文献】
【特許文献】
【０００３】
【特許文献１】特開２００９−２５８９７５号公報
【発明の概要】
【発明が解決しようとする課題】
【０００４】
しかし、従来の広告配信システムでは、ユーザにとって適切なタイミングで広告情報を配信しているとは言い難い。例えば、ユーザに見たい番組があり、その番組が既に始まっていた場合など、チャンネルを切り替えたタイミングで広告情報が表示されてしまうと、ユーザにとって煩わしくなってしまう。
【０００５】
本発明はこのような従来の課題を解決するためになされたものであり、その目的とするところは、ユーザに対して広告情報をより適切に提示することが可能な広告配信システム及びその情報表示方法を提供することにある。
【課題を解決するための手段】
【０００６】
本発明の広告配信システムは、広告情報を配信する広告配信サーバとテレビジョン受像機とがネットワークで接続された広告配信システムであって、テレビジョン受像機に所定の制御を行わせるための操作内容を入力可能な操作装置と、操作装置に対して操作内容が入力されたことを検出する検出手段と、検出手段により操作内容が入力されたことが検出された場合、入力された操作内容がテレビジョン受像機のチャンネルを変更するものであり、且つ、チャンネルを所定時間内に所定回数以上切り替えた場合、広告情報の配信を要求させると判断する配信判断手段と、配信判断手段により広告情報の配信を要求させると判断された場合、広告配信サーバに対して広告情報の配信を要求すると共に、要求に応じて配信された広告情報を受信する通信手段と、通信手段により受信された広告情報をテレビジョン受像機から提示させる提示制御手段と、を備えることを特徴とする。
【０００７】
また、本発明の広告配信システムにおいて、現在の時刻を把握する時計手段をさらに備え、配信判断手段は、検出手段により操作内容が入力されたことが検出された場合、入力された操作内容がテレビジョン受像機の電源をオンするものであり、且つ、時計手段により当該電源オン時の時刻が所定の時間帯であった場合、通信手段により広告情報の配信を要求させると判断することが好ましい。
【０００８】
また、本発明の広告配信システムの情報表示方法は、広告情報を配信する広告配信サーバとテレビジョン受像機とがネットワークで接続された広告配信システムの広告配信方法であって、テレビジョン受像機に所定の制御を行わせるための操作内容を入力可能な操作装置に対して操作内容が入力されたことを検出する検出工程と、検出工程において操作内容が入力されたことが検出された場合、入力された操作内容がテレビジョン受像機のチャンネルを変更するものであり、且つ、チャンネルを所定時間内に所定回数以上切り替えた場合、広告情報の配信を要求させると判断する配信判断工程と、配信判断工程において広告情報の配信を要求させると判断された場合、広告配信サーバに対して広告情報の配信を要求する第１通信工程と、第１通信工程における要求に応じて配信された広告情報を受信する第２通信工程と、第２通信工程において受信された広告情報をテレビジョン受像機から提示させる表示制御工程と、を有することを特徴とする。
【発明の効果】
【０００９】
本発明によれば、ユーザに対して広告情報をより適切に提示することができる。
【図面の簡単な説明】
【００１０】
【図１】本実施形態に係る広告配信システムを示す構成図である。
【図２】図１に示したコントローラの詳細を示すブロック図である。
【図３】図２に示した記憶部の記憶内容のデータテーブルを示す図である。
【図４】図１に示した広告配信サーバにおいて配信する広告情報を決定するために記憶される記憶内容のデータテーブルを示す図である。
【図５】図１に示したテレビジョン受像機の正面図であり、（ａ）は通常時の様子を示し、（ｂ）は広告配信時の様子を示している。
【図６】図１に示したコントローラの動作を示すフローチャートであって、広告情報を表示するまでの処理を示している。
【図７】図１に示したコントローラの動作を示すフローチャートであって、広告情報の表示を終了するまでの処理を示している。
【図８】図１に示した広告配信サーバの動作を示すフローチャートである。
【図９】第２実施形態に係るコントローラの詳細を示す構成図である。
【図１０】図１に示したコントローラの動作を示すフローチャートであって、広告情報を表示するまでの処理を示している。
【発明を実施するための形態】
【００１１】
以下、本発明の好適な実施形態を図面に基づいて説明する。図１は、本実施形態に係る広告配信システム１を示す構成図である。図１に示すように、広告配信システム１は、広告情報を配信する広告配信サーバ６０とテレビジョン受像機１０とがインターネット（ネットワーク）５０で接続されたものである。この広告配信システム１は、テレビジョン受像機１０、リモコン（操作装置）２０、コントローラ３０、ルータ４０、インターネット５０、及び広告配信サーバ６０を備えている。次に、各部について説明する。
【００１２】
テレビジョン受像機１０は、アンテナ等によって受信されるテレビジョン放送波を受信し、受信したテレビジョン放送波に基づく映像や音声を出力するものである。リモコン２０は、テレビジョン受像機１０に所定の制御を行わせるための操作内容を入力可能なものである。具体的に操作内容としては、電源のオン／オフ、チャンネルのＵＰ／ＤＯＷＮ、チャンネル番号の入力（チャンネル番号が指定されたボタンの押下も含む）、音量のＵＰ／ＤＯＷＮなどがある。リモコン２０は、操作内容が入力されると、操作内容に応じた操作信号を出力することとなる。
【００１３】
コントローラ３０は、イーサネット（登録商標）によりテレビジョン受像機１０に接続されると共に、広告配信サーバ５０とテレビジョン受像機１０とを接続する中継機器としての役割を果たすものである。ルータ４０は、コンピュータネットワークにおいてデータのやり取りを行うための中継機器であって、本実施形態ではテレビジョン受像機１０と広告配信サーバ５０とのデータのやり取りを中継することとなる。インターネット５０は、インターネット・プロトコル技術を利用して相互接続されたコンピュータネットワークである。このインターネット５０には、各家庭等のテレビジョン受像機１０が接続されることとなる。広告配信サーバ５０は、テレビジョン受像機１０に配信する広告情報を記憶した機器である。
【００１４】
図２は、図１に示したコントローラ３０の詳細を示すブロック図である。なお、図２においては、接続関係を明確とするために、テレビジョン受像機１０、リモコン２０、及び広告配信サーバ６０についても図示するものとする。
【００１５】
図２に示すように、コントローラ３０は、操作信号受信部（検出手段）３１、操作信号判断部（配信判断手段）３２、記憶部３３、通信部（通信手段）３４、及び広告表示画像生成部（表示制御手段）３５を備えている。操作信号受信部３１は、リモコン２０に対して操作内容が入力されたことを検出するものであり、具体的にはリモコン２０から発せられる操作信号（例えば赤外線信号）を受信することで操作内容が入力されたことを検出する。
【００１６】
操作信号判断部３２は、操作信号受信部３１により受信された操作信号の種別を判断するものである。操作信号には、例えばチャンネルのＵＰ／ＤＯＷＮ信号、チャンネル番号の入力（チャンネル番号が指定されたボタンの押下も含む）信号、音量のＵＰ／ＤＯＷＮ信号、及び、電源のオン／オフ信号などがある。操作信号判断部３２は、操作信号が上記信号のいずれの信号に該当するかを判断して、操作信号の種別を判断することとなる。また、操作信号判断部３２は、所定時間内に判断された操作信号の種別の数から、ユーザの操作回数（すなわち操作信号受信部３１における受信回数）についても判断することとなる。
【００１７】
さらに、操作信号判断部３２は、判断した操作信号の種別に基づいて、広告情報の配信を要求するか否かを判断する機能を備えている。操作信号判断部３２は、この判断を記憶部３３の記憶内容に基づいて実行する。図３は、図２に示した記憶部３３の記憶内容のデータテーブルを示す図である。図３に示すように、記憶部３３は、例えばチャンネルのＵＰ／ＤＯＷＮ、及びチャンネル番号の入力（チャンネル番号が指定されたボタンの押下も含む）を記憶している。操作信号判断部３２は、判断した操作信号の種別が記憶部３３に記憶されているかを判断する。
【００１８】
加えて、操作信号判断部３２は、判断した操作信号の種別が記憶部３３に記憶されていると判断した場合、タイマーをスタートさせる。そして、操作信号判断部３２は、所定時間以内に記憶部３３に記憶される操作信号を何回受信するかを判断する。ここで、記憶部３３には、チャンネルを変更する操作信号が記憶されている。このため、記憶部３３に記憶される操作信号を多く受信したということは、ユーザがチャンネルを迷っている状況を示している。チャンネルを迷っている場合、ユーザに広告情報を提示しても、ユーザにとっては煩わしくなく、適切なタイミングであるといえる。よって、このような場合、操作信号判断部３２は、広告情報の配信を要求すると判断する。一方、そうでない場合には広告情報の配信を要求しないと判断する。
【００１９】
通信部３４は、操作信号判断部３２により広告情報の配信を要求すると判断された場合に広告配信サーバ６０に対して広告情報の配信を要求すると共に、要求に応じて配信された広告情報を受信するものである。ここで、通信部３４は、広告情報の配信を要求するにあたり、操作信号判断部３２により判断された操作信号の種別、及び、その操作信号を受信した回数についての情報を広告配信サーバ６０に送信する。広告配信サーバ６０は、広告情報の配信要求の信号を受信すると、配信要求の信号と共に送信される操作信号の種別情報及び受信回数の情報に応じて配信する広告情報を決定する。
【００２０】
図４は、図１に示した広告配信サーバ６０において配信する広告情報を決定するために記憶される記憶内容のデータテーブルを示す図である。図４に示すように、広告配信サーバ６０は、受信回数と、操作信号の種別と、広告情報とを対比させたマトリックスデータを記憶している。具体的に図４に示す例において、広告配信サーバ６０は、チャンネルのＵＰ信号（属性２）の受信回数が４回（属性１）である場合、広告情報は「○○自動車」であると記憶している。同様に、広告配信サーバ６０は、チャンネルのＵＰ信号（属性２）の受信回数が５回（属性１）である場合、広告情報は「△△電機」であると記憶している。
【００２１】
このように記憶されているため、例えばユーザがリモコン２０に対してチャンネルＵＰの操作を４回行うと、コントローラ３０を介してこれらの情報が広告配信サーバ６０に送信される。そして、広告配信サーバ６０は、広告情報を「○○自動車」であると決定し、コントローラ３０に対して「○○自動車」の広告情報を送信することとなる。
【００２２】
広告表示画面生成部３５は、通信部３４により受信された広告情報をテレビジョン受像機１０から提示させるために、画像生成（具体的には表示スクリプトの生成）を行うものである。テレビジョン受像機１０は、広告表示画像生成部３４により生成された画像情報を受信すると、表示スクリプトを実行して例えば図５に示すようにして広告画像を表示する。
【００２３】
図５は、図１に示したテレビジョン受像機１０の正面図であり、（ａ）は通常時の様子を示し、（ｂ）は広告配信時の様子を示している。図５（ａ）に示すように、テレビジョン受像機１０は、通常時において表示画面１１の全体に放送番組を移すこととなる。これに対してテレビジョン受像機１０は広告の画像情報を受信した場合、例えば図５（ｂ）に示すように表示画面１１を４分割し、第１の画像領域１１ａに放送番組を映し、第２〜第４の画像領域１１ｂ〜１１ｄに広告画像を映すこととなる。
【００２４】
次に、本実施形態に係る広告配信システム１の広告配信方法について説明する。図６は、図１に示したコントローラ３０の動作を示すフローチャートであって、広告情報を表示するまでの処理を示している。図６に示すように、まずコントローラ３０の操作信号受信部３１は、操作信号を検出したか否かを判断する（Ｓ１）。操作信号を検出していないと判断した場合（Ｓ１：ＮＯ）、検出したと判断されるまで、この処理が繰り返される。
【００２５】
一方、操作信号を検出したと判断した場合（Ｓ１：ＹＥＳ）、操作信号判断部３２は、検出された操作信号の種別が、記憶部３３に記憶される操作信号の種別であるか否かを判断する（Ｓ２）。すなわち、操作信号判断部３２は、チャンネルを変更する操作信号を受信したか否かを判断する。記憶部３３に記憶される操作信号の種別でないと判断した場合（Ｓ２：ＮＯ）、処理はステップＳ１に移行する。一方、記憶部３３に記憶される操作信号の種別であると判断した場合（Ｓ２：ＹＥＳ）、コントローラ３０はタイマーを初期化すると共にスタートさせ（Ｓ３）、タイマーをカウントアップさせる（Ｓ４）。
【００２６】
その後、コントローラ３０はタイマーの数値が規定値に達したか否かを判断する（Ｓ５）。規定値に達していないと判断した場合（Ｓ５：ＮＯ）、操作信号受信部３１は、操作信号を検出したか否かを判断する（Ｓ６）。操作信号を検出していないと判断した場合（Ｓ６：ＮＯ）、処理はステップＳ４に移行し、タイマーのカウントアップが行われる。
【００２７】
一方、操作信号を検出したと判断した場合（Ｓ６：ＹＥＳ）、操作信号判断部３２は、検出された操作信号の種別が、記憶部３３に記憶される操作信号の種別であるか否かを判断する（Ｓ７）。すなわち、操作信号判断部３２は、チャンネルを変更する操作信号を受信したか否かを判断する。記憶部３３に記憶される操作信号の種別でないと判断した場合（Ｓ７：ＮＯ）、処理はステップＳ４に移行し、タイマーのカウントアップが行われる。一方、記憶部３３に記憶される操作信号の種別であると判断した場合（Ｓ７：ＹＥＳ）、コントローラ３０は、連続回数を示す変数ｎをインクリメントし（Ｓ８）、処理はステップＳ７に移行する。
【００２８】
ところで、タイマーの数値が規定値に達したと判断した場合（Ｓ５：ＹＥＳ）、コントローラ３０は、連続回数を示す変数ｎが一定値ａ以上であるか否かを判断する（Ｓ９）。連続回数を示す変数ｎが一定値ａ以上でないと判断した場合（Ｓ９：ＮＯ）、処理はステップＳ１に移行する。一方、連続回数を示す変数ｎが一定値ａ以上であると判断した場合（Ｓ９：ＹＥＳ）、ユーザがチャンネルを迷っていることを示している。よって、通信部３４は広告配信サーバ６０に対して広告情報の配信要求をする（Ｓ１０）。また、通信部３４は配信要求に加えて操作信号の受信回数及び操作信号の種別の情報を送信する。
【００２９】
その後、通信部３４は広告情報を受信したか否かを判断する（Ｓ１１）。広告情報を受信していないと判断した場合（Ｓ１１：ＮＯ）、受信したと判断するまで、この処理が繰り返される。一方、広告情報を受信したと判断した場合（Ｓ１１：ＹＥＳ）、広告表示画面生成部３５は表示制御を行う（Ｓ１２）。このとき、広告表示画像生成部３５はテレビジョン受像機１０に広告画像を表示させるための表示スクリプトを生成してテレビジョン受像機１０に送信することとなる。その後、図６に示す処理は終了する。
【００３０】
図７は、図１に示したコントローラ３０の動作を示すフローチャートであって、広告情報の表示を終了するまでの処理を示している。まず、コントローラ３０はタイマーを初期化すると共にスタートさせ（Ｓ２１）、タイマーをカウントアップさせる（Ｓ２２）。その後、コントローラ３０は、図６に示した処理により新たな広告情報の送信要求があったか否かを判断する（Ｓ２３）。新たな広告情報の送信要求がなかったと判断した場合（Ｓ２３：ＮＯ）、タイマーの数値が規定値に達したか否かを判断する（Ｓ２４）。規定値に達していないと判断した場合（Ｓ２４：ＮＯ）、処理はステップＳ２２に移行し、タイマーのカウントアップが行われる。
【００３１】
一方、タイマーの数値が規定値に達したと判断した場合（Ｓ２４：ＹＥＳ）、すなわち広告画像を表示してからある程度の時間が経過したと判断した場合、広告表示画像生成部３５は広告画像の非表示制御を実行する（Ｓ２５）。このとき、広告表示画像生成部３５は、広告画像を表示せず放送番組のみを表示する要求信号をテレビジョン受像機１０に送信することとなる。次に、通信部３４は、広告表示の終了通知を広告配信サーバ６０に送信する（Ｓ２６）。そして、図７に示す処理は終了する。
【００３２】
図８は、図１に示した広告配信サーバ６０の動作を示すフローチャートである。図７に示すように、まず広告配信サーバ６０は、コントローラ３０から広告表示の完了通知を受信したか否かを判断する（Ｓ３１）。コントローラ３０から広告表示の完了通知を受信していないと判断した場合（Ｓ３１：ＮＯ）、コントローラ３０は、広告情報の送信要求を受信したか否かを判断する（Ｓ３２）。
【００３３】
広告情報の送信要求を受信していないと判断した場合（Ｓ３２：ＮＯ）、処理はステップＳ２１に移行する。広告情報の送信要求を受信したと判断した場合（Ｓ３２：ＹＥＳ）、広告配信サーバ６０は、配信する広告情報を決定する（Ｓ３３）。このとき、広告配信サーバ６０は、送信要求と共に送信される受信回数及び操作信号の種別の情報に基づき、図４に示すデータテーブルを参照して、配信する広告情報を決定する。そして、広告配信サーバ６０は、コントローラ３０に対して広告情報を送信する（Ｓ３４）。その後、処理はステップＳ３１に移行する。
【００３４】
また、コントローラ３０から広告表示の完了通知を受信したと判断した場合（Ｓ３１：ＹＥＳ）、広告配信サーバ６０は、データテーブルを更新する（Ｓ３５）。このとき、広告配信サーバ６０は、同じユーザに対して同じ広告情報が配信されないようにデータテーブルを更新する。例えば、広告配信サーバ６０が「○○自動車」の広告情報を配信し、これに対する広告表示の完了通知を受信した場合、広告配信サーバ６０は、データテーブルの「○○自動車」を「××食品」など、他のものに更新する。なお、更新方法はこれに限らず、広告配信サーバ６０は、単にデータテーブルの「○○自動車」を削除して、チャンネルのＵＰ信号（属性２）の受信回数が４回（属性１）である場合、広告情報が配信されないようにしてもよいし、データテーブルの広告情報を１つ繰り上げて「△△電機」の広告情報を配信するようにしてもよい。
【００３５】
なお、図７に示すフローチャートは広告配信サーバ６０の電源がオフされるまで、繰り返し実行される。
【００３６】
このようにして、本実施形態に係る広告配信システム１及び広告配信方法によれば、入力された操作内容がテレビジョン受像機１０のチャンネルを変更するものであり、且つ、チャンネルを所定時間内に所定回数以上切り替えた場合、広告情報の配信を要求させると判断する。このため、ユーザがチャンネルを連続的に変えるタイミング、すなわちユーザが見たい番組を探しているタイミングで、広告情報を提示できることとなり、広告情報をより適切に提示することができる。
【００３７】
次に、第２実施形態に係る広告配信システム１について説明する。なお、第２実施形態に係る広告配信システム１は、第１実施形態のものと同様であるため、相違点のみを説明する。
【００３８】
図９は、第２実施形態に係るコントローラ３０の詳細を示す構成図である。図９に示すように、第２実施形態に係るコントローラ３０は、時計部（時計手段）３６をさらに備えている。時計部３６は、現在の時刻を把握するものである。この時計部３６は、例えば時計専用のＬＳＩ（Large Scale Integration）により構成される。
【００３９】
また、コントローラ３０が時計部３６を備えるため、操作信号判断部３２は、時計部３６によって把握される時刻に基づいて広告情報の配信を要求するか否かを判断する。具体的に操作信号判断部３２は、リモコン２０に対して入力された操作内容がテレビジョン受像機１０の電源をオンするものであり、且つ、電源オン時の時刻が所定の時間帯であった場合、通信部３４により広告情報の配信を要求させると判断する。ここで、所定の時間帯とは、例えば１４時５５分〜１５時、１８時５５分〜１９時、２２時５５分〜２３時などのように、毎時００分から所定分前までの時刻である。このような時間帯では、一般にコマーシャルが流れている。このため、コマーシャルが流れているタイミングで煩わしくなく広告情報を提示できることとなり、広告情報をより一層適切に提示することができる。
【００４０】
なお、第２実施形態ではコントローラ３０が時計部３６を備えているが、これに限らず、テレビジョン受像機１０や広告配信サーバ６０が時計部３６を備えていてもよい。ここで、テレビジョン受像機１０や広告配信サーバ６０が時計部を備えている場合、操作信号判断部３２は、時計部３６により把握され送信されてきた時刻情報に基づいて時間帯を判断することなる。また、第２実施形態において記憶部３３には、電源のオンの情報を記憶している。
【００４１】
次に、第２実施形態に係る広告配信システム１の広告配信方法について説明する。図１０は、図１に示したコントローラ３０の動作を示すフローチャートであって、広告情報を表示するまでの処理を示している。図１０に示すように、まずコントローラ３０の操作信号受信部３１は、操作信号を検出したか否かを判断する（Ｓ４１）。操作信号を検出していないと判断した場合（Ｓ４１：ＮＯ）、検出したと判断されるまで、この処理が繰り返される。
【００４２】
一方、操作信号を検出したと判断した場合（Ｓ４１：ＹＥＳ）、操作信号判断部３２は、検出された操作信号の種別が、記憶部３３に記憶される操作信号の種別であるか否かを判断する（Ｓ４２）。すなわち、操作信号判断部３２は、チャンネルを変更する操作信号、又は、電源をオンする操作信号を受信したか否かを判断する。記憶部３３に記憶される操作信号の種別でないと判断した場合（Ｓ４２：ＮＯ）、処理はステップＳ１に移行する。一方、記憶部３３に記憶される操作信号の種別であると判断した場合（Ｓ４２：ＹＥＳ）、操作信号判断部３２は、操作信号がチャンネルを変更するものであったか否かを判断する（Ｓ４３）。
【００４３】
操作信号がチャンネルを変更するものでなかったと判断した場合（Ｓ４３：ＮＯ）、操作信号判断部３２は、時計部３６により把握された時間が所定の時間帯に属するか否かを判断する（Ｓ４４）。所定の時間帯に属しないと判断した場合（Ｓ４４：ＮＯ）、処理はステップＳ４１に移行する。一方、所定の時間帯に属すると判断した場合（Ｓ４４：ＹＥＳ）、処理はステップＳ５２に移行し、通信部３４は広告配信サーバ６０に対して広告情報の配信要求をする（Ｓ５２）。
【００４４】
ところで、操作信号がチャンネルを変更するものであったと判断した場合（Ｓ４３：ＹＥＳ）、処理はステップＳ４５に移行する。そして、ステップＳ４５〜Ｓ５４において、図６に示したＳ３〜Ｓ１２と同様の処理が実行されることとなる。
【００４５】
このようにして、第２実施形態に係る広告配信システム１及び広告配信方法によれば、第１実施形態と同様に、ユーザに対して広告情報をより適切に提示することができる。
【００４６】
さらに、第２実施形態によれば、入力された操作内容がテレビジョン受像機１０の電源をオンするものであり、且つ、当該電源オン時の時刻が所定の時間帯であった場合、広告情報の配信を要求する。このため、例えば、ユーザが１８時５５分〜１９時など、一般的にコマーシャルが流れているタイミングでテレビジョン受像機１０の電源をオンした場合に広告情報を提示できることとなる。これにより、例えばユーザが放送番組に集中しているタイミングで広告情報が配信されてユーザの心証を悪くしてしまうことを防止でき、広告情報をより一層適切に提示することができる。
【００４７】
以上、実施形態に基づき本発明を説明したが、本発明は上記実施形態に限られるものではなく、本発明の趣旨を逸脱しない範囲で、変更を加えてもよい。
【００４８】
例えば、上記実施形態においてコントローラ３０は操作信号受信部３１を備えている。しかし、これに限らず、コントローラ３０は、テレビジョン受像機１０にて受信された操作信号を操作信号判断部３２にて入力する構成となっていてもよい。
【００４９】
また、広告配信サーバ６０は、操作信号の受信回数及び操作信号の種別に基づいて、配信する広告情報を決定している。しかし、これに限らず、広告配信サーバ６０は、ユーザ自身の居住地、性別、年齢、趣味などの情報を登録しておき、これに基づいて、配信する広告情報を決定するようになっていてもよい。
【００５０】
また、本実施形態においてテレビジョン受像機１０は、広告情報を画像表示によりユーザに提示している。しかし、これに限らず、テレビジョン受像機１０は、動画表示、テキスト表示、及び音声出力により広告情報を提示するようになっていてもよい。
【００５１】
また、本実施形態においてコントローラ３０は、広告表示を終了した後、規定時間ユーザがリモコン２０を操作しなかった場合、強制的に広告表示を行ってもよい。
【符号の説明】
【００５２】
１…広告配信システム
１０…テレビジョン受像機
２０…リモコン（操作装置）
３０…コントローラ
３１…操作信号受信部（検出手段）
３２…操作信号判断部（配信判断手段）
３３…記憶部
３４…通信部（通信手段）
３５…広告表示画像生成部（表示制御手段）
３６…時計部（時計手段）
４０…ルータ
５０…インターネット
６０…広告配信サーバ
【図１】
2011193053.tif 000003
【図２】
2011193053.tif 000004
【図３】
2011193053.tif 000005
【図４】
2011193053.tif 000006
【図５】
2011193053.tif 000007
【図６】
2011193053.tif 000008
【図７】
2011193053.tif 000009
【図８】
2011193053.tif 000010
【図９】
2011193053.tif 000011
【図１０】
2011193053.tif 000012